(57)【要約】【課題】  スライダ作動紐状ジッパおよびタンパ証明特徴を有する再閉鎖可能バッグおよびその製法に関する。【解決手段】  一特徴として、再閉鎖可能バッグは、口および内容積を有する受器、口内に設置された紐状ジッパ、紐状ジッパに取付けられたスライダ、および内容積の全部または一部へのアクセスを遮断するタンパ証明特徴を含む。タンパ証明特徴は、内容積を区画する内膜、または前記紐状ジッパを覆う外ヘッダの形態を採る。区画内容積を有する形態において、タンパ証明特徴は剥ぎシールを含む。【選択図】      図２
2004244112.tif 000002
【特許請求の範囲】
【請求項１】
口および内容積を有する受器、前記口内に設置された紐状ジッパ、前記紐状ジッパに取付けられたスライダ、および前記内容積の全部または一部へのアクセスを遮断するタンパ証明特徴を含む再閉鎖可能バッグ。
【請求項２】
前記タンパ証明特徴は、前記受器に結合されかつ前記紐状ジッパを覆うヘッダを含む、請求項１のパッケージ。
【請求項３】
前記タンパ証明特徴は、前記内容積を区画するように前記受器へ結合された膜を含む、請求項１のパッケージ。
【請求項４】
フランジ無しの第一および第二ジッパ細片を含むジッパ、
フィルム構造体、および
前記ジッパに取付けられたスライダを含み、
第一ジッパ細片は第一ベースおよび第一ベースから突出した第一閉鎖形材を含み、かつ第二ジッパ細片は第二ベースおよび第二ベースから突出しかつ第一閉鎖形材と係合する第二閉鎖形材を含み、
前記フィルム構造体は、第一ジッパ細片の第一ベースに結合された第一取付け部、第二ジッパ細片の第二ベースに結合された第二取付け部、第一および第二取付け部に一体的に連結されかつ内容積を有する受部、ならびに第一取付け部に一体的に連結された一側を有するタンパ証明特徴部を含み、
前記ジッパは前記フィルム構造体の第一取付け部と第二取付け部との間に設置され、
前記タンパ証明特徴部は前記内容積の全部または一部へのアクセスを遮断し、かつ
前記スライダは第一および第二取付け部の対向部にそれぞれ対面する内面を有する第一および第二側壁を含む、再閉鎖可能バッグ。
【請求項５】
前記タンパ証明特徴部の他側は第二取付け部に一体的に連結され、前記タンパ証明特徴部は前記ジッパを覆うヘッダを形成している、請求項４のバッグ。
【請求項６】
前記タンパ証明特徴部の他側は第二取付け部に一体的に連結され、かつ前記他側の両端は前記内容積を区画するように前記受部に結合されている、請求項４のバッグ。
【請求項７】
第一および第二取付け部の各々は前記タンパ証明特徴部または前記受部の厚みよりも厚い厚みを有する、請求項４のバッグ。
【請求項８】
（ａ）一枚のフィルム構造体の第一部を折り畳んで、フィルム材の第一層から第四層を含む概ねＭ形の第一マチ端を形成する工程、
（ｂ）第一マチ端の第二層と第三層間に第一紐状ジッパを挿入する工程、
（ｃ）第一マチ端の第一層および第二層を相互に対して封止すると共に第一紐状ジッパの一側に封止する工程、
（ｄ）第一マチ端の第三層および第四層を相互に対して封止すると共に第一紐状ジッパの他側に封止する工程、ならびに
（ｅ）工程（ｃ）および（ｄ）の後に第一紐状ジッパ上に第一スライダを挿入する工程を含む製造方法。
【請求項９】
前記一枚フィルム構造体のそれぞれの部を第一周辺の一部に沿って共に封止して第一包囲受器を形成する工程を更に含む、請求項８の製造方法。
【請求項１０】
（ａ）フィルム材を配置しかつ封止して、口および内容積を有すると共に前記内容積へのアクセスを遮断するタンパ証明特徴と共に受器を形成する工程、
（ｂ）タンパ証明特徴と共に前記受器を完成する前に、前記受器の前記口を形成する前記フィルム材の対向部をフランジ無しの第一および第二ジッパ細片のそれぞれの背面に結合する工程、
（ｃ）フランジ無し第一および第二ジッパ細片を相互に対して整列させる工程、ならびに
（ｄ）工程（ｂ）および（ｃ）の後に、フランジ無し第一および第二ジッパ細片上にスライダを取付け、前記フィルム材の対向部のそれぞれを前記スライダのそれぞれの側壁とフィルム無し第一および第二ジッパ細片のそれぞれの背面との間に設置する工程を含む、再閉鎖可能バッグを製造する方法。
【発明の詳細な説明】
【技術分野】
【０００１】
本発明は、概ね、スライダにより作動するプラスチックジッパを有する再閉鎖可能バッグに関する。特に、本発明はスライダにより作動する紐状ジッパを有する再閉鎖可能バッグに関する。
【背景技術】
【０００２】
この出願は、"Reclosable Packaging Having Slider-Operated String Zipper"の名称で２００３年２月１４日に出願された米国特許出願第１０／３６７，４５０号の一部継続出願でありかつその優先権を主張する。
【０００３】
プラスチック製バッグ、ポーチおよび他のパッケージ、特に食品を収容するためのバッグ等の使用において、バッグ等は、購買者がバッグそしてその中身を購入し、家へ持って帰り、かつ最初にバッグ等を開封するまで、気密シールされかつタンパ証明されていることが重要である。そこで、バッグ等はその内容物が保護されるように再閉鎖可能であることが消費者にとって商業的に魅力的でありかつ有用である。かかるバッグ等は、パッケージが最初に開封された後でさえもパックした製品の未使用分を、封止しないとしても、閉鎖した包装状態で容易に保存する能力を消費者に提供する。可撓性プラスチックによるジッパは、高速設備で製造されかつ反復的再使用に対して信頼性があるので、再閉鎖可能バッグ等に好適であることを証明している。
【０００４】
多くの再閉鎖可能バッグは、バッグ開閉のためにスライダにより作動するジッパを備えた口を有する受器を含む。スライダが開放方向へ移動するときに、スライダは、ジッパ部上を通過することによりジッパ部を開放させる。反対に、スライダが閉鎖方向へ移動するときに、スライダはジッパ部上を通過することによりジッパ部を閉鎖させる。代表例として、再閉鎖可能バッグのジッパは、バッグの口の両端で連結される相互係止可能形材に形成された一対の閉鎖細片を含む。相互係止可能プラスチックジッパ部材の形材は種々の形態を採る。例えば、所謂雄雌形材を有する相互係止リブおよび溝要素、相互係止交互フック形閉鎖要素等の形態を採る。スライダ操作式ジッパを有する再閉鎖可能バッグは、それらの形材を係合させる前に相互係合可能ジッパ形材を整合させる消費者による必要性を解消するので、一般的にスライダ無しジッパを有するバッグよりも消費者にとっては一層望ましい。
【０００５】
消費者による購入前にバッグが開放されまたはこじ開けられた（tampered)場合に、それを暴露するタンパ証明シールまたは表示を提供するために再閉鎖可能バッグに対して種々の付加物が加えられている。パッケージが最初に開封される場合にパッケージの外観に何らかの永久的変化を与えるように設計された再閉鎖可能パッケージ構造を設けることは既知である。例えば、パッケージが最初に開封されるときに破られたことを積極的に表示する、タンパ証明、再閉鎖不可能剥ぎシールを再閉鎖可能パッケージに設けることが知られている。同様に、バッグの頂点上で封入ヘッダ(enclosed header)の内側にジッパ（スライダ付きまたはスライダなし）を覆い隠すことも既知である。他のタイプのタンパ証明特徴は気密状態で内容積を区画する膜をジッパの製品側上に設けることである。
【０００６】
低コストで製造できる、気密または非気密パッケージのためのタンパ証明特徴を備えた再閉鎖可能バッグに対する新規設計へのニーズは依然継続している。
【０００７】
【特許文献１】米国特許出願第１０／３６７，４５０号、米国特許出願第１０／４１２，４３８号、米国特許出願第１０／４３６，４３３号、
【発明の開示】
【発明が解決しようとする課題】
【０００８】
本発明はスライダで作動する紐状ジッパおよびタンパ証明特徴を有する再閉鎖可能バッグを提供することを課題とする。本発明は更にかかるバッグを製造する方法を提供することを課題とする。
【課題を解決するための手段】
【０００９】
本発明による再閉鎖可能バッグは、口および内容積を有する受器、前記口内に設置された紐状ジッパ、前記紐状ジッパに取付けられたスライダ、および前記内容積の全部または一部へのアクセスを遮断するタンパ証明特徴を含むことを特徴とする。
【００１０】
好適形態において、前記タンパ証明特徴は、前記受器に結合されかつ前記紐状ジッパを覆うヘッダを含む。
【００１１】
好適形態において、前記タンパ証明特徴は、前記内容積を区画するように前記受器へ結合された膜を含む。
【００１２】
本発明の他の形態による再閉鎖可能バッグは、フランジ無しの第一および第二ジッパ細片を含むジッパ、フィルム構造体、および前記ジッパに取付けられたスライダを含み、第一ジッパ細片は第一ベースおよび第一ベースから突出した第一閉鎖形材を含み、かつ第二ジッパ細片は第二ベースおよび第二ベースから突出しかつ第一閉鎖形材と係合する第二閉鎖形材を含み、前記フィルム構造体は、第一ジッパ細片の第一ベースに結合された第一取付け部、第二ジッパ細片の第二ベースに結合された第二取付け部、第一および第二取付け部に一体的に連結されかつ内容積を有する受部、ならびに第一取付け部に一体的に連結された一側を有するタンパ証明特徴部を含み、前記ジッパは前記フィルム構造体の第一取付け部と第二取付け部との間に設置され、前記タンパ証明特徴部は前記内容積の全部または一部へのアクセスを遮断し、かつ前記スライダは第一および第二取付け部のそれぞれの対向部に対面する内面を有する第一および第二側壁を含むことを特徴とする。
【００１３】
好適形態において、前記タンパ証明特徴部の他側は第二取付け部に一体的に連結され、前記タンパ証明特徴部は前記ジッパを覆うヘッダを形成している。
【００１４】
好適形態において、前記タンパ証明特徴部の他側は第二取付け部に一体的に連結され、かつ前記他側の両端は前記内容積を区画するように前記受部に結合されている。
【００１５】
好適形態において、第一および第二取付け部の各々は前記タンパ証明特徴または前記受部の厚みよりも厚い厚みを有する。
【００１６】
本発明による製造方法は、（ａ）一枚のフィルム構造体の第一部を折り畳んで、フィルム材の第一層から第四層を含む概ねＭ形の第一マチ端を形成する工程、（ｂ）第一マチ端の第二層と第三層間に紐状ジッパを挿入する工程、（ｃ）第一マチ端の第一層および第二層を相互に対して封止すると共に前記紐状ジッパの一側に封止する工程、（ｄ）第一マチ端の第三層および第四層を相互に対して封止すると共に前記紐状ジッパの他側に封止する工程、ならびに（ｅ）工程（ｃ）および（ｄ）の後に第一紐状ジッパ上に第一スライダを挿入する工程を含むことを特徴とする。
【００１７】
好適形態において、前記一枚フィルム構造体のそれぞれの部を第一周辺の一部に沿って共に封止して第一包囲受器を形成する工程を更に含む。
【００１８】
本発明による再閉鎖可能バッグを製造する方法は、（ａ）フィルム材を配置しかつ封止して、口および内容積を有すると共に前記内容積へのアクセスを遮断するタンパ証明特徴と共に受器を形成する工程、（ｂ）タンパ証明特徴と共に前記受器を完成する前に、前記受器の前記口を形成する前記フィルム材の対向部をフランジ無しの第一および第二ジッパ細片のそれぞれの背面に結合する工程、（ｃ）フランジ無し第一および第二ジッパ細片を相互に対して整列させる工程、ならびに（ｄ）工程（ｂ）および（ｃ）の後に、フランジ無し第一および第二ジッパ細片上にスライダを取付け、前記フィルム材の対向部のそれぞれを前記スライダのそれぞれの側壁とフィルム無し第一および第二ジッパ細片のそれぞれの背面との間に設置する工程を含むことを特徴とする。
【００１９】
本発明による他の形態の再閉鎖可能バッグは、フランジ無しの第一および第二ジッパ細片を含むジッパ、フィルム構造体、内容積を有する受器、タンパ証明特徴部ならびに前記ジッパへ取付けたスライダを含み、第一ジッパ細片は第一ベースおよび第一ベースから突出した第一閉鎖形材を含み、かつ第二ジッパ細片は第二ベースおよび第二ベースから突出しかつ第一閉鎖形材と係合する第二閉鎖形材を含み、前記フィルム構造体は、第一ジッパ細片の第一ベースに結合された第一取付け部、および第二ジッパ細片の第二ベースに結合された第二取付け部を含み、前記ジッパは前記フィルム構造体の第一取付け部と第二取付け部との間に設置され、前記受器は第一および第二取付け部に一体的に連結され、前記タンパ証明特徴部は第一取付け部へ一体的に連結された一側を有しかつ前記内容積の全部または一部へのアクセスを遮断し、かつ前記スライダは第一および第二取付け部のそれぞれの対向部に対面する内面を有する第一および第二側壁を含むことを特徴とする。
【００２０】
本発明による他の形態の再閉鎖可能バッグは、相互に対して相互係止可能閉鎖形材を有するフランジ無しの第一および第二ジッパ細片、剥ぎシール、第一ジッパ細片の背面に結合された第一部、前記剥ぎシールの一側に結合された第二部、および第一層の第一および第二部を連結する第三部を含むフィルム材料による第一層、第二ジッパ細片の背面に結合された第一部、前記剥ぎシールの他側に結合された第二部、第二層の第一部および第二部を連結する第三部を含むフィルム材料による第二層、第一層の第一部に融合した一部を含むフィルム材料による第三層、第二層の第一部に融合した部を含むフィルム材料による第四層、ならびに第一および第二ジッパ細片に取付けたスライダを含み、第三層と第四層の一部は受器を形成するために結合されていることを特徴とする。第一層の第一部および第三層の融合部は第一ジッパ細片の背面と前記スライダの対面する第一部との間に設置され、かつ第二層の第一部および第四層の融合部は第二ジッパ細片の背面と前記スライダの対面する第二部との間に設置されている。
【００２１】
本発明の他の形態の再閉鎖可能バッグは、第一および第二ジッパ細片の対向端で結合される相互に対して相互係止可能閉鎖形材を有するフランジ無し第一および第二ジッパ細片、剥ぎシール、第一ジッパ細片の背面に結合された第一部、前記剥ぎシールの一側に結合された第二部、および第一および第二部を連結する第三部を含むフィルム材による第一層、周辺の一部に沿って共に結合されたフィルム材による第二層および第三層を含む受器、、および第一および第二ジッパ細片に取付けたスライダを含み、前記フィルム材による第二層は第一層の第一部に融合した一部を含み、かつフィルム材による第三層は第二ジッパ細片の背面に結合された第一部、前記剥ぎシールの他側に結合された第二部、および第三層の第一部と第二部を連結する第三部を有することを特徴とする。第一層の第一部および第二層の融合部は第一ジッパ細片の背面と前記スライダの対面する第一部管に設置され、かつ第三層の第一部は第二ジッパ細片の背面と前記スライダの対面する第二部との間に設置されている。
【００２２】
本発明の他の特徴は特許請求に記載されかつ以下に開示される。
【発明を実施するための最良の形態】
【００２３】
受器２、およびスライダ１０の操作により作動する可撓性プラスチック製紐状ジッパ４を有する再閉鎖可能パッケージまたはバッグが図１に示されている。理解されるように、ここに開示のスライダ−ジッパ組立体は、図１に示されたタイプの再閉鎖可能パッケージもしくはバッグ、または異なる構造の他のタイプの再閉鎖可能パッケージに設置できる。
【００２４】
受器２は、低密度ポリエチレン、エチレンとＣ３−Ｃ８αオレフィンの実質的に線状コポリマー、ポリプロピレン、ポリ塩化ビニル、これらのポリマーの二つまたはそれ以上の混合物、またはこれらのポリマーの一つと他の熱可塑性ポリマーとの混合物等の熱可塑性フィルム材料を含む、任意適宜フィルム材料から形成されてよい。当業者にはこの適宜材料のリストが包括的でないことが理解されるであろう。受器２はシーム６０および６２（点線で表示）によりバッグの両側エッジで共に固定されてよい対向壁を含む（図１では前パネルのみが観察できる）。これらの対向壁の底は、例えば加熱および加圧等の従来方法により形成されたヒートシール６４によって、連結されてよい。
【００２５】
上端に、受器２は開放自在の口を有し、その内側に押し出し成形されたプラスチック製紐状ジッパ４がある。紐状ジッパ４は一対の相互係止可能ジッパ細片６および８を含む（図２に最良に示されている）。図２はリブおよび溝装置を示すが、ジッパの半割体を構成する形状のいずれの形態を採っても良い。例えば、紐状ジッパは相互係止リブと溝要素（図２に示されたように）、または交互フック形の閉鎖要素を含んでよい。好適ジッパ材料は、ポリエチレンまたはポリプロピレンである。紐状ジッパ４はジッパ細片に沿ってスライダ１０をスライドさせることにより作動する。スライダがジッパを横切るときに、ジッパは開放または閉鎖する。図１に示されたように、スライダは閉鎖方向『Ｃ』へジッパに沿って摺動自在であり、ジッパ細片を係合させ、または開放方向『Ｏ』へ摺動自在であり、ジッパ細片の係合離脱を可能にする。
【００２６】
図１を再度参照すると、紐状ジッパ４は、スライダがジッパ閉鎖位置またはジッパ完全開放位置に達したときにジッパの端からスライダが滑り出すのを防止するための端ストッパ６６および６８を更に含む。代表例として、端ストッパはジッパ細片の両端を溶解することにより形成され、それと同時に溶解した材料を端ストッパ構造に形成する。かかる端ストッパは二重機能を有し、ストッパがジッパの端から滑り出るのを防止するストッパとして働くと共に、二つのジッパ形材を共に保持してバッグの通常使用を通して形材へ加わる応力に対応してバッグが開放するのを防止する。ただし、本発明はいずれかの特定タイプのスライダ端ストッパ構造を組み入れたものに制限されない。
【００２７】
本発明の種々の実施形態によれば、タンパ証明シールまたはタンパ証明特徴は紐状ジッパの製品側でバッグの内部に形成される。一形態において、タンパ証明シールは、製品側でジッパから懸垂するバッグ形成フィルムによるＵ形またはＶ形の膜の形態を採る。図１において、点線４４はＵ形またはＶ形の膜の先端を示す。この膜の一側がジッパ細片の背面に結合され、他方、膜の他側は他方のジッパ細片の背面に結合される。膜４４の両端はサイドシール６０および６２に捕捉され、それによりバッグの内容積を気密シールする。選択的に、気密シールが必要ない場合には、膜はバッグのサイドシールにその両端で結合される必要はない。バッグの内容物へアクセスするために、使用者は、第一に、スライダを移動させてジッパを開放し、かつ次にバッグの内側に設置された膜４４を引き裂いて開く。
【００２８】
本発明の或る実施形態によるバッグの構造が図２に詳細に示されている。膜４４はＵ形またはＶ形に折り畳まれ、かつ相互係止されたフランジ無しの一対のジッパ細片６および８の背面にそれぞれのマージン部が結合された（例えば、伝導ヒートシールにより）フィルム材の第一層を含む。同一フィルム材による第二層は第一層の一マージン部に融合したマージン部を有し、受器２の前壁２ａを形成し、他方、同一フィルム材による第三層は第一層の他のマージン部に融合したマージン部を有し、受器２の後壁２ｂを形成する。フィルム材料による第一、第二および第三層のマージン部は、図２および３において図解目的から、区別できる層として示されている。実際には、フィルムの溶融層間の境界は識別不可能でないとしても、区別できないであろう。前後壁２ａ，２ｂは典型的には三側に沿って共に封止されて（図１に例示）、受器を形成する。同時に、フィルム材による折り畳んだ第一層の両側のマージン部は受器のサイドシール内に捕捉されてよい。結果として、膜４４はタンパ証明気密シールを形成する。
【００２９】
再度図２を参照すると、紐状ジッパは一対の相互係止可能ジッパ部材またはジッパ細片６および８を含む。図２はリブおよび溝構成を示すが、ジッパ細片の形状はいずれの形態であってもよい。例えば、紐状ジッパは相互係止するリブおよび溝要素（図２に示されたように）または交互係止するフック形状の閉鎖要素を含んでよい。好適ジッパ材料はポリエチレンまたはポリプロピレンである。膜４４と受器の壁２ａおよび２ｂとの融合マージン部は従来伝導ヒートシール法によりジッパ細片６および８の背面にそれぞれ封止されてよい。
【００３０】
フィルム材は紐状ジッパに結合され、かつ紐状ジッパからはみ出した過剰フィルムはトリミングされた後に、スライダが紐状ジッパ上に挿入される。図２の例示において、スライダは、紐状ジッパの対峙セクション間の開口部へ突出する分離フィンガまたはプラウ４２を有する。更にジッパを開放するために、雌形材から雄部材のヘッドを引っ張ることのできる力によりジッパ部材６および８を引き離す。雄部材のショルダが外方へ屈撓したグリッパ顎部のフックを通過するときに、雄雌部材は相互係止を解除し、そしてジッパは開放する。
【００３１】
図３は図２に部分的に示されたバッグの製造工程を示す。この製造方法によれば、フィルム材による単一ウエブを三回折り畳んでＭ形マチ端を形成することから開始する。紐状ジッパをこのマチへ挿入し（マチの先端から所定距離で）、かつ次にそのフィルムを紐状ジッパに両側でヒートシールして融合二重層３および３’を形成する。一対のホットシーリングバー、即ち加熱した封止棒８０および８２がジッパの両側で離隔した矩形として概ね表されている。封止棒は後退位置（図３）と前進位置（図示せず）間で往復する。ヒートシールは、前進した封止棒８０および８２がフィルム材による二重層をフランジ無しジッパ細片６および８のそれぞれの背面に対して付勢するときに、行なわれる。封止棒は帯状結合ゾーンを形成する。ジッパの二重層の封止後に、折り畳まれたエッジ７２および７４がそれぞれの側でジッパ上方に延びる。このように折り畳まれたループは、後に、カッティングライン７６および７８に沿って切断することによりトリミングされる。折り畳んだエッジ７２および７４のトリミング後に、バッグフィルムの二重層の上マージンは、帯状結合ゾーン上方に延びた短い自由端（図３に示されたカッティングライン７６および７８の下）を有する。この自由端は、ジッパに沿ったスライダの移動を妨害またはジッパ形材に絡まる程長くしてはならない。選択的に、折り畳んだエッジ７２および７４は、トリミングを必要としないジッパ細片６，８と十分に整合するものであってよい。
【００３２】
この例のジッパは、相互係止可能形材によるジッパ部材６および８を含む押し出し成形プラスチック構造体である。ジッパ部材８はベース１４およびベース１４から突出した二つの概ね矢形リブ状雄閉鎖要素または部材２０および２８を含み、かつジッパ細片６は、シーリングブリッジ(sealing bridge)１２により連結された二対のフック形グリッパ顎部を含む。二対のグリッパ顎部は、それぞれ、閉鎖要素２０および２８の雄形材を受けるための対応する雌形材を形成する。更に具体的には、顎部１６および１８は雄要素２０を受けかつそれと相互係止し、他方、顎部２２および２４は雄要素２８を受けかつそれと相互係止する。シーリングブリッジ１２およびベース１４はバッグフィルムの厚みよりも厚い弾性可撓性自己支持構造である。雄閉鎖要素はベース１４に一体的に形成され、かつ雌閉鎖要素はシーリングブリッジ１２に一体的に形成される。
【００３３】
更に図３を参照すると、雄閉鎖要素２０および２８を担持するベース１４の上エッジ３０の端面は、上エッジのコーナー上に引っかかって破ることなく上方からのスライダのジッパへの負荷を促進するために約４５°角で傾斜している。ベース１４の下エッジは、スライダ引き抜け抵抗を増すためにスライダ上の保持出っ張りと共働する。同様目的から、リブ２６がジッパ部材６上に形成され、リブ２６はスライダの他側の保持出っ張りと共働する。
【００３４】
相互係止可能雄雌部材について種々の形態が既知である。本発明は矢形ヘッドを有する雄部材との使用に限定されない。更に、図２および３はリブ−溝構成を示すが、ジッパ細片の形材はいずれの形態であってもよい。例えば、紐状ジッパは交互係止するフック形閉鎖要素であってよい。
【００３５】
図２に示されたスライダ１０は、米国特許出願第１０／３６７，４５０号に開示されており、上壁３２、ならびに上壁３２の両側に連結された一対の側壁３４および３６を含み、上壁３２および側壁３４，３６は紐状ジッパが通るトンネルを形成する。トンネルの幅はプラウ（plow)により分割されたセクションに沿って実質的定常でありかつスライダの一端面でプラウの端の近傍点から閉鎖窓へ向かって狭くなる。プラウ４２は、上壁３２の中央部から各側壁の最下部よりも下のレベルまで下方に垂下し、かつプラウがジッパ形材間に妨害することなく容易に侵入するように、円弧状エッジを有しかつ先端で平坦コーナーに形成される。スライダが開放方向へ移動する（即ち、閉鎖端の先導により）ときに、プラウ４２はジッパ部材６および８の衝突部分に入り込んで分離させる。トンネルの狭いセクションは実質的平面的で傾斜した一対の内面により形成され（図２に示されていない）、この斜面はスライダの閉鎖窓へ向かって収斂している。一対の斜面は、スライダが閉鎖方向へ移動するときに、ジッパ部材を相互に対して漏斗形に狭くするまたは圧搾し、ジッパ形材を相互係止させる。
【００３６】
図２に一部が示されたように、スライダ１０は、更に、側壁３４から内方へ突出した保持突起または出っ張り３８、および側壁３６から内方へ突出した保持突起または出っ張り４０を含む。出っ張り３８および４０は相互に対して突出し、スライダをジッパへ掛止するためにそれぞれラッチを形成する。出っ張り３８および４０は概ね平面で、傾斜した下面を５０および５２含み、斜面５０および５２は、自動的スライダ挿入時にスライダのトンネルへそれぞれのジッパ部材６および８を案内する働きをする。
【００３７】
製造コストを縮小するために、スライダは材料の使用量を削減しかつスライダの射出成形速度を上昇するように設計されてよい。適宜射出成形スライダ設計は"Molded Sliders for Actuating Zipper in Reclosable Bagsの名称で出願された米国特許出願第１０／４１２，４３８号に開示されている。
【００３８】
ここに開示のタンパ証明特徴およびスライダで作動する紐状ジッパを備えた再閉鎖可能バッグは、スライダが分離フィンガを有することを要求しない。分離フィンガを持たないスライダは、ジッパ細片がかかるスライダにより作動するように設計される場合に、採用できる。
【００３９】
図２に部分的に示されたタイプの再閉鎖可能パッケージは自動生産ラインで製造できる。この特定事例において、かかる装置により実行される製造方法は次の工程を含む。第一に、バッグ形成フィルムのウエブを三つの折り線に沿って折り畳んで、フィルム材料による第一から第四の層を含む概ねＭ形のマチ端を形成する。次に、紐状ジッパを所定角度でそのマチの二つの中央層（即ち、第二および第三）間へ挿入する。ジッパ封止ステーションで、ジッパの一部をマチの両側へ封止する。即ち、マチの第一層と第二層を相互に対して封止すると共に一方のフランジ無しジッパ細片の背面に封止する。他方、マチの第三層および第四層を相互に対して封止すると共に他方のフランジ無しジッパ細片の背面に封止する。このとき同時に、バッグ形成フィルムの折り畳だウエブの両マージンエッジは共に帯状に封止される。この封止によるシールはバッグの底になる。ジッパ封止後に、結合ゾーン上方の折り畳んだエッジは、例えば、ジッパ付きウエブを移動させながら固定ナイフにより、トリミングされる。トリミング後に、スライダをスライダ挿入装置により紐状ジッパへ挿入し、かつジッパを超音波によりストンプ(stomp)してスライダ端ストッパを形成する。バッグ形成フィルムを取付けた紐状ジッパへスライダを挿入するための適宜装置は、"Method and Apparatus for Inserting Sliders During Automated Manufacture of Reclosable Bags"の名称の米国特許出願第１０／４３６，４３３号に開示されている。次に、ウエブをホットナイフにより横切る方向へ切断する。カッティングラインは超音波ストンプ領域と交差する。ホットナイフが同時にフィルムおよびジッパを剪断しかつカットエッジに沿ってフィルムを封止する。選択的に、ウエブの対向マージンエッジが共に帯状に封止される前に、折り畳んだウエブの二側間に製品が設置されてよい。本発明の一つの特徴によれば、弱い引き裂き抵抗を持つ線（例えば、間隔を置いたミシン目線）が折り畳み前に形成され、この引き裂き線は折り畳んだ後のマチの先端にまたはその近くになるように位置決めされる。
【００４０】
スライダ作動紐状ジッパおよびタンパ証明シールをジッパの製品側に有する再閉鎖可能バッグを製造する他の方法は図４〜８に示されている。第一に、図４に示されたように、バッグ形成フィルムのウエブ９０を三つの折り線に沿って折り畳んで、フィルム材料による第一層から第四層を含む概ねＭ形のマチ端を形成する。ウエブの他端は開放状態にされる。選択により、折り畳む前に弱い引裂き抵抗を持つ線が中央線に沿ってウエブに形成されてよい。折り畳み作業の結果、この線４５はマチの先端に形成される。気密シールが必要な場合には、引き裂き防止弱め線はスコアライン(scoreline)の形態を採ってよい。気密シールが必要でない場合には、間隔を置いたミシン目線が使用できる。
【００４１】
図５に示されたように、折り畳んだ後に、プレート分離機８４を、紐状ジッパを結合する領域においてマチへ挿入する。図５に後退位置で示された一対の加熱封止棒８０および８２を、封止棒の各面が折り畳んだフィルムのそれぞれの層をプレート分離機８４の反対側からプレート分離機８４に付勢するまで、前進させる。この作業時に、折り畳んだウエブの第一および第二層のマージン部をプレート分離機８４の一側で共にヒートシールし、かつ折り畳んだウエブの第三および第四層のマージン部をプレート分離機８４の他側で共にヒートシールする。プレート分離機８４はマチを形成する第二層および第三層が共に封止されるのを阻止する。
【００４２】
製造の次の工程において、一つの折り畳みを持ち上げる、更に正確には、図６に示されたように、ディフレクタ８６により概ね水平の位置から概ね垂直の位置へ枢軸回転させる。次に、紐状ジッパ４を、例えば、まだ持ち上げられていない封止した折り畳み部分の上面上に紐状ジッパを置く等により、導入し、ジッパを折り畳みエッジ近くで平行に設置する。次に、持ち上げた折り畳み部分をその初期位置へ戻す（この工程は図示されていない）。この場合に、ジッパ４はマチの両側の封止した折り畳み部分間に挟まれる。次に、ジッパ封止ステーションで、他の対の加熱封止棒９４および９６（図７に後退位置で示されている）を前進させて紐状ジッパ４の両側の封止された（即ち、融合した）フィルムの二重層と接触させる。この作業時に、マチ端の一側の融合したフィルムの二重層は一方のフランジ無しジッパ細片の背面へ結合され、他方、マチ端の他側の融合したフィルムの二重層は他方のフランジ無しジッパ細片の背面へ結合される。ジッパが折り畳んだウエブへ取付けられた後に、スライダ１０（図８参照）がジッパおよびそれぞれの結合フィルム層上へ挿入される。紐状ジッパと融合したフィルムの二重層との精確な整合が困難であることによりフィルムの融合部分がフィルムの結合ゾーンを越えてジッパへ拡がった場合には、その部分はスライダ−ジッパ組立体の動作の妨害を防止するためにトリミングされる。
【００４３】
図９〜１１は、本発明の他の形態による製品を装填したタンパ証明スライダ作動ジッパ付きパッケージの二重製造法の連続工程を示す。最初に、フィルムの管を折り畳んで直径方向で対峙する位置にそれぞれのＭ形マチ端を形成する。各端での折り畳み作業は図４を参照して上述した方法と同様である。次に、図５を参照して上述した方法により各マチ端の外折り畳みのマージン部をプレート分離機および加熱封止棒を使用して共に封止する。次に、図６を参照して上述した方法により、各マチ端でそれぞれ封止した折り畳み部分をそれぞれ起立位置へ枢軸回転させ、かつそれぞれの紐状ジッパを持ち上げられなかった封止した折り畳み部分上へ導入する。
【００４４】
次に、図９に示されたように、管９１の持ち上げた折り畳み部分をそれぞれの紐状ジッパ上の水平位置へ戻す。次に、各紐状ジッパ４および４’をジッパを挟むフィルムの融合二重層へ結合する。更に精確には、加熱した封止棒９４により封止した折り畳み部分９８をジッパ４の一方のフランジ無しジッパ細片の背面に結合し、加熱した封止棒９６により封止した折り畳み部分１００をジッパ４の他方のフランジ無しジッパ細片の背面に結合し、加熱した封止棒９４’が封止した折り畳み部分１０２とジッパ４’の一方のフランジ無しジッパ細片の背面に結合し、かつ加熱した封止棒９６’が封止した折り畳み部分１０４とジッパ４’の他方のフランジ無しジッパ細片の背面に結合する。分離作業において、フィルム管９１はその管の両端でジッパと概ね平行で等間隔をおいたカッティングライン１０６に沿って切断される。後述するように、この切断作業は製品の装填を可能にする。図９は同時的フィルム切断およびジッパ封止作業を示すが、当業者はジッパ取付け後にフィルムが切断されてよいことを理解するであろう。
【００４５】
管９１を切断後に、その切断の両側のフィルムによる上フラップ１０８，１１０を上昇させ固定供給台１１２のまわりにラップする（ジッパ−フィルム組立体が移動する）。供給台に対するフィルムのラップ位置は図１０に示されている。製品のそれぞれの塊１１４および１１４’は供給台を介してフィルムの下層へ装填される。それぞれのスライダ１０および１０’はそれぞれの紐状ジッパ４および４’上へ挿入される。図１０は製品装填とスライダ挿入の同時的作業を示すが、当業者は製品装填の前または後にスライダが挿入され得ることを理解するであろう。図１１に示されたように、製品の塊はジッパ４，４’間に設置され、かつ加熱封止棒１１６によりフィルムを封止するスペースにより相互から分離する。その後に、シール１１８が中間部から切断され、かつそのフィルムはクロスカットされかつ封止されて分離した封止パッケージを形成する。各パッケージは製品を装填しかつタンパ証明シール１２０，１２０’を有する。理解されるように、管の代わりに、フラットフィルムが管の場合と同様のフィルム形態を形成するように折り畳まれてよく、かつジッパ取付け方法は上述と同様であってよい。
【００４６】
図１２は、本発明の他の形態によるタンパ証明スライダ作動紐状ジッパ付きパッケージを示す。バッグ形成フィルムによる二つのウエブが、相互に反対になるように二つの短いフラップ１２２，１２４を形成するために内方へ折り畳まれる。ウエブ１２５および１２６の折り畳み前の端はフィンシール（fin seal)１２７により結合され、フィンシール１２７は受器の底として作用する。剥ぎシール１２８がフラップ１２２および１２４の対峙するマージン部に結合され、タンパ証明シールを形成する。折り畳み部分１３０，１３２のフィルム層は共に封止され、かつこのフィルムによる融合二重層は順次紐状ジッパ４のフランジ無しジッパ細片のそれぞれの背面に結合される。スライダ１０は、図２に示されたように、紐状ジッパ上へ挿入され、外折り畳み融合層はジッパ細片とスライダの側壁との間に設置される。
【００４７】
図１３はタンパ証明スライダ作動紐状ジッパ付きパッケージの他の構成を示す。この構成は、バッグ形成フィルムの受器１２５のみが内方へ折り畳まれて唯一の内フラップ１２２を形成する点で図１２の構成と相違する。この事例において、剥ぎシール１２８はフラップ１２２のマージン部を受器の反対壁上の帯状ゾーンに結合し、そのようにしてタンパ証明シールを形成する。同様に、この実施形態は、上述のごとく、紐状ジッパ４の一側がフィルムの単一層、即ち、剥ぎシール１２８に結合される壁のマージン部１３４に結合され、かつ紐状ジッパの他側が融合フィルム材の二重層に結合される点で図１２の形態と相違する。ジッパ−フィルム結合ゾーンを越えて延びるフィルムのエッジは必要によりトリミングされてよい（ここに開示の全形態について同様である）。剥ぎシールの代わりに、フラップ１２２のマージン部が対峙する受器の壁へハードシールされ、弱い引き裂き抵抗を持つ線がフラップに設けられてよい。
【００４８】
選択的に、単一ウエブを最初に折り畳んでバッグの底を形成し、かつ次に折り畳んだ二重層を形成し、これを一方のジッパ細片に封止することができる。最終結果物は図１３に示された構造と同様の再閉鎖可能バッグであるが、バッグ底にフィンシール１２７を有しない構造であってよい。他の形態の製造は剥ぎシールの作製時にシールを貫通しない方法で内フラップの後エッジ（剥ぎシールの他側）を処理することを含んでよい。この場合、剥ぎシールはスライダ装備後に作製されてよい。
【００４９】
本発明の他の形態よれば、フィルムのウエブを一回折り畳んでＵ形を形成し、かつ次にフィルムの分離細片を折り畳んだウエブの一壁の内側へ封止して図１３に示されたフラップ１２２を形成してよい。ただし、フィルムの分離ウエブまたは細片の供給、およびマージンに沿ったそのウエブまたは細片の結合は、ウエブまたは細片のそれぞれのテンションが相対的に等しくなるように別々に制御されることを必要とする。
【００５０】
同様に、図３について上述したようにＭ形マチ端を形成するためにフィルムのウエブを折り畳む代わりに、異なる幅のフィルムによる分離ウエブ１３６，１３８が、図１４に示されたように、それぞれＵ形に折り畳まれてよい。そして、折り畳んだ短いウエブ１３６を、折り畳んだ長いウエブ１３８の両側間へエッジを揃えて挿入する。次に、紐状ジッパ４を折り畳んだ短いウエブ１３６のマージン部間へ挿入する。次に、折り畳んだ短いウエブおよび長いウエブのマージン部を紐状ジッパのフランジ無し細片の背面へヒートシールして図３に示したタイプのフィルムによる融合二重層１４０，１４２を形成する。折り畳んだ長いウエブの折り畳み部分１４４は受器の底を形成し、他方、折り畳んだ短いウエブの折り畳み部分１４６はタンパ証明シールの先端を形成する。短い幅のウエブは中心線に沿って穿孔またはスコアラインが入れられてタンパ証明シールの先端または先端近くに弱い引き裂き抵抗を持つ線を形成する。その結果としての最終バッグは図２で部分的に示されたバッグと実質的に同一構造を有する。
【００５１】
本発明の他の形態によれば、図１４に示した構造がフィルムによる管を使用してＭ形マチを形成するように折り畳むことにより得られる。このマチの両側のフィルムの二重層は、次に、上述したように紐状ジッパ両側へ封止される。マチのエッジをトリミングする必要がある場合には、最終構造を図１４に示したようにする。外折り線がジッパ細片に十分に合致している場合には、折り畳んだエッジをトリミングする必要はない。
【００５２】
図１３に示された形態の場合に、二重製造が図１５および１６について説明する工程を含む方法により達成でき、かつ他の工程は図示されていない。第一に、剥ぎシール１２８のそれぞれの細片は、フィルムウエブ１５０の両側でそれぞれのマージンに平行に結合される。次に、図１５に示されたように、第二フィルムウエブ１４６のマージン部が上下に重なる関係で設置されかつウエブ１５０の一側で剥ぎシール材１２８に結合され、かつ第二フィルムウエブ１４８のマージン部が上下に重なる関係で設置されかつウエブ１５０の他側で剥ぎシール材１２８に結合される。最終バッグに製品を装填する場合には、ウエブ１４６および１４８を折り畳む（点線で示されている）前に、製品１１４および１１４’の塊を剥ぎシール１２８間の所定位置でウエブ１５０上に設置する。ウエブ１４６および１４８は、それぞれの剥ぎシールの側方外側に設けた線に沿って折り畳まれる。
【００５３】
図１６に示されたように、それぞれの紐状ジッパ４はウエブ１５０のそれぞれのマージン部とウエブ１４６および１４８の対峙するそれぞれの折り畳み部分との間に設置される。紐状ジッパ４の両側のフィルム材は、図１６に示されたように、加熱した封止棒（図示せず）によりそこへ封止され、フィルムのそれぞれの二重層は各紐状ジッパの一側で結合され、かつフィルムのそれぞれの単一層は各紐状ジッパの他側で結合される。他の封止作業において、折り畳だウエブ１４６および１４８の自由端はウエブ１５０の中央部に結合され、結果としてシール１５２は、製品１１４および１１４’のそれぞれの塊間を通るウエブ１５０の中心線に沿って設けられる。紐状ジッパがフィルムに結合された後に、スライダ（図示されていない）が挿入される。図１６に示された組立体がクロスシールされかつ横切る線に沿って切断されかつ中央シール１５２と交差する中心線に沿って切断さるときに、二つの最終充填パッケージは生産ラインから外される。
【００５４】
図１２に示された形態は、二重製法と同様に感じられるが、ウエブ１５０が両側で内方へ折り畳まれ、かつ次いで剥ぎシール１２８の出っ張りが図１７に示されたように、内方へ折り畳んだフラップに加えられている点で相違する。剥ぎシールの下にあるウエブ１５０の部分へのシールの侵入を防止するために、それぞれの分離プレート１５４および１５４'が、内方へ折り畳んだフラップへの剥ぎシール材の加熱による結合時に、ウエブ１５０の重合部分間に挿入される。その後に、ウエブ１４６および１４８は製品で充填され、折り畳まれかつ封止され、紐状ジッパが所定位置で封止され、かつスライダは図１５および１６を参照して上述したように挿入される。
【００５５】
本発明の形態を製造する方法において、タンパ証明特徴は図１８〜２２に部分的に示されたヘッダを含む。図１８に示されたように、フィルム材によるウエブ１５６は三つの折り線に沿って折り畳まれて、一対の内脚１５７および１５９、一対の外脚１５８および１６０を含む蛇行形状を形成する。外脚１５８は第一折り線で内脚１５７に連結されている。内脚１５７は第二折り線で内脚１５９に連結されている。更に内脚１５９は第三折り線で外脚１６０に連結されている。図１９を参照すると、第一折り線近傍で外脚１５８と内脚１５７の対面する部分は共にヒートシールされてフィルムによる融合二重層１３０を形成する。同様に、第三折り線近傍で外脚１６０と内脚１５９の対面する部分は共にヒートシールされてフィルムによる融合二重層１３２を形成する。次の工程で、紐状ジッパ４は、図２０に示されたように、それぞれの融合層１３０と１３２との間に設置され、かつ融合層はそれぞれ紐状ジッパの両側（即ち、それぞれの対応するフランジ無しジッパ細片のベース）へ、例えばヒートシールにより、結合される。次に、スライダが紐状ジッパおよびそこに結合されたフィルム材上へ挿入される（図２１参照）。次に、外脚１５８および１６０がジッパ上に折り畳まれ、外脚のマージン部が対面関係になるようにされる。次に、外脚１５８と１６０の対面するマージン部がヒートシールされてフィンシール１６２を形成する（図２２参照）。結果として形成されたヘッダは両側で開放するか、または気密シールが所望される場合には両端で遮断封止される。その後に、図２２に示された組立体がクロスシールされかつ横切る線に沿って切断されて、作製中のワークから最終パッケージを剪断する。製品は、ウエブが折り畳まれる前にフィルム材によるウエブ１５６上に設置されるか、または内脚間の空間はジッパを付与する前に充填される。選択的に、ジッパ付与およびスライダ挿入後にジッパを開放して製品が装填されるか、またはそのフィルムにスリットを入れて製品の充填を可能にしかつその後にスリットを再封止する。
【００５６】
図２２に示されていないが、弱い引き裂き抵抗を持つそれぞれの線は各外脚１５８，１６０内に形成され、この線はジッパに平行かつスライダの下にあり、消費者によるヘッダの除去を容易にする。弱い引き裂き抵抗を持つ各線は一連の間隔を置いたミシン線（非気密ヘッダ）またはスコアライン（気密ヘッダ）を含む。弱い引き裂き抵抗を持つ線はヘッダ形成の前または後にウエブ１５６内に形成できる。更に、ヘッダは吊り孔を有していてよい。
本発明は、スライダがプラウまたは分離フィンガを有することを必要としない。スライダ−ジッパ組立体は、スライダが開放方向へ移動するときに、プラウまたは分離フィンガに依らないで、跨がるスライダの側壁がジッパから離れる(cam open)かまたはジッパを押し開けるように設計されうる。
【００５７】
本発明を好適形態を参照して説明したが、当業者に理解されるように、本発明の範囲から逸脱することなく種々の変更が可能であり、かつ均等物が本発明の部材に置換できる。更に、本発明の必須の範囲から逸脱することなく本発明の教示に特定状況を採用するために多くの変更がなされてよい。従って、本発明は本発明を実施するための最良形態として開示された特定形態に限定されず、本発明は特許請求の範囲内に属する全ての形態を含むことが意図されている。
【００５８】
請求項に使用された動詞『結合』または『連結』は、熱かつ／または圧力の付加、超音波エネルギーの付加、接着剤層または結合剤層の付加、接着細片または結合細片等の介在による、溶解、接合、封止、接着等を意味する。請求項で使用された用語、『紐状ジッパ』は実質的フランジ部を持たない二つの相互係止可能閉鎖細片を含むジッパを意味する。
【図面の簡単な説明】
【００５９】
【図１】本発明の一形態による再閉鎖可能バッグの前面図であり、バッグフィルムが光学的に透明であり紐状ジッパおよびタンパ証明シールがフィルムの層の背後に見える状態を点線により表示した図である。
【図２】図１のバッグに一体化されるスライダ−紐状ジッパ組立体の断面部分図であり、ジッパおよびバッグフィルムはスライダの閉鎖端の前で断面されている。
【図３】本発明の一形態による製造方法の中間工程で折り畳んだウエブに結合された紐状ジッパの断面部分図である。
【図４】本発明の他の形態によるタンパ証明スライダ作動紐状ジッパ付きパッケージを形成する方法の連続工程の一工程を示す図である。
【図５】本発明の他の形態によるタンパ証明スライダ作動紐状ジッパ付きパッケージを形成する方法の連続工程の一工程を示す図である。
【図６】本発明の他の形態によるタンパ証明スライダ作動紐状ジッパ付きパッケージを形成する方法の連続工程の一工程を示す図である。
【図７】本発明の他の形態によるタンパ証明スライダ作動紐状ジッパ付きパッケージを形成する方法の連続工程の一工程を示す図である。
【図８】本発明の他の形態によるタンパ証明スライダ作動紐状ジッパ付きパッケージを形成する方法の連続工程の一工程を示す図である。
【図９】製品を装填するタンパ証明スライダ作動紐状ジッパ付きパッケージの二重製造法の連続工程中の一工程を示す図である。
【図１０】製品を装填するタンパ証明スライダ作動紐状ジッパ付きパッケージの二重製造法の連続工程中の一工程を示す図である。
【図１１】製品を装填するタンパ証明スライダ作動紐状ジッパ付きパッケージの二重製造法の連続工程中の一工程を示す図である。
【図１２】本発明の他の形態によるタンパ証明スライダ作動紐状ジッパ付きパッケージを示す図である。
【図１３】本発明によるタンパ証明スライダ作動紐状ジッパ付きパッケージの他の構成を示す図である。
【図１４】本発明の他の形態によるタンパ証明スライダ作動紐状ジッパ付きパッケージを示す図である。
【図１５】図１３の形態の製造工程を示す図である。
【図１６】図１３の形態の製造工程を示す図である。
【図１７】図１２の形態の製造工程を示す図である。
【図１８】タンパ証明特徴がヘッダである本発明の一形態の製造工程を示す図である。
【図１９】タンパ証明特徴がヘッダである本発明の一形態の製造工程を示す図である。
【図２０】タンパ証明特徴がヘッダである本発明の一形態の製造工程を示す図である。
【図２１】タンパ証明特徴がヘッダである本発明の一形態の製造工程を示す図である。
【図２２】タンパ証明特徴がヘッダである本発明の一形態の製造工程を示す図である。
【符号の説明】
【００６０】
２…受器
４…紐状ジッパ
６，８…ジッパ細片
１０…スライダ
１２…シーリングブリッジ
１４…ベース
２０，２８…閉鎖要素または閉鎖部材
２６…リブ
４２…プラウ
４４…膜
６０，６２…サイドシール
８４…プレート分離機
９１…管
９４，１１６…封止棒
１１２…供給台
１１４…製品の塊
１１８…シール
１２０…タンパ証明シール
１２２…フラップ
１２５，１２６，１３６，１３８，１４６，１４８，１５０…ウエブ
１２７，１６２…フィンシール
１２８…剥ぎシール
１５２…中央シール
【図１】
2004244112.tif 000003
【図２】
2004244112.tif 000004
【図３】
2004244112.tif 000005
【図４】
2004244112.tif 000006
【図５】
2004244112.tif 000007
【図６】
2004244112.tif 000008
【図７】
2004244112.tif 000009
【図８】
2004244112.tif 000010
【図９】
2004244112.tif 000011
【図１０】
2004244112.tif 000012
【図１１】
2004244112.tif 000013
【図１２】
2004244112.tif 000014
【図１３】
2004244112.tif 000015
【図１４】
2004244112.tif 000016
【図１５】
2004244112.tif 000017
【図１６】
2004244112.tif 000018
【図１７】
2004244112.tif 000019
【図１８】
2004244112.tif 000020
【図１９】
2004244112.tif 000021
【図２０】
2004244112.tif 000022
【図２１】
2004244112.tif 000023
【図２２】
2004244112.tif 000024